(57)【特許請求の範囲】
【請求項１】
ドアパネルの上縁及び下縁に取り付けられた扉用キャップと、この扉用キャップ内側の後端部に取り付けられた扉内板で形成される空間に断熱材が充填され、ハンドルが取り付けられる冷凍冷蔵庫の引出扉において、
前記ドアパネルの端部以外の部分に設けられ、前記ドアパネル面に沿った第１の縁部と、この第１の縁部に対向し前記ドアパネル面から凹ませた凹部の第２の縁部とを有し、前記ハンドルが取り付けられるドアパネル開口部を備え、
前記ハンドルは、
前部上方に突設されたリブと、
このリブとの間に前記ドアパネルの第１の縁部が挿入される溝を形成するように上方に突設された第１の係合部と、
後部下方に突設され前記ドアパネルの第２の縁部が押し当てられる後部リブと、
この後部リブの根元近傍で後方に突設された第２の係合部とを備え、
前記第１の係合部に係合する前部結合部と、
前記第２の結合部に係合する後部結合部とを有し、
前記ドアパネルの第１の縁部を前記リブに押圧するとともに、前記ドアパネルの第２の縁部を前記ハンドルの後部リブに押圧し、前記ハンドルを前記ドアパネルに固定するハンドル押さえを備えたことを特徴とする冷凍冷蔵庫の引出扉。
【請求項２】
ハンドルの後部リブ近傍に、第２の縁部が挿入される溝を設けたことを特徴とする請求項２記載の冷凍冷蔵庫の引出扉。
【請求項３】
請求項１または請求項２のいずれかに記載の引出扉を有する冷凍冷蔵庫。
【発明の詳細な説明】
【０００１】
【発明の属する技術分野】
本発明は、冷凍冷蔵庫の引出扉及びこの引出扉を使用した冷凍冷蔵庫に関するもので、特に引出扉の扉開閉用ハンドルの改善に関する。
【０００２】
【従来の技術】
図１１は、従来の冷凍冷蔵庫の形態を示す正面図で、図１２は同冷凍冷蔵庫の引出扉の断面図である。図１１において、１は冷蔵室の扉、２は野菜室の引出扉、３は上部冷凍室の引出扉、４は下部冷凍室の引出扉、８は野菜室の引出扉２の上縁の扉用キャップ、９は下縁の扉用キャップである。
【０００３】
図１２において、６は上縁に絞り形状６ａを加工したドアパネル、８はドアパネル６の上縁が嵌め込まれた上縁側扉用キャップ、８はドアパネル６の下縁が嵌め込まれた上縁側扉用キャップ、１３は上縁側扉用キャップ８に取り付けられた扉開閉用のハンドル形状を有するキャップである。
【０００４】
野菜室の引出扉２は、まず、ドアパネル６を上縁側扉用キャップ８のドアパネル挿入溝８ａと下縁側扉用キャップ９のドアパネル挿入溝（図示せず）に嵌め込み、扉用キャップ装着体を形成し、前記扉用キャップ装着体の内側にドアガスケット挿入用溝部１０ａを形成したサッシレス式扉内板１０を嵌合させることで、扉組立体１４を構成する。このようにして構成された扉組立体１４内に発泡断熱材１２を注入して発泡させ、その後ドアガスケット１１をサッシレス式扉内板１０のドアガスケット挿入用溝部１０ａに挿入させて野菜室の引出扉２が完成する。
【０００５】
なお、図１１に示す上部冷凍室の引出扉３、下部冷凍室の引出扉４等も同様に前述した手順で組立を行う。
また、下縁側扉用キャップ９に扉開閉用のハンドル形状を有するキャップ１３を形成し、扉開閉を行っているタイプもある。
【０００６】
【発明が解決しようとする課題】
以上のように構成された従来の冷凍冷蔵庫の引出扉は、冷凍冷蔵庫の高さや扉の高さ変更に伴い扉開閉用ハンドル形状を有するキャップ１３の位置が上下する構造となっていた。従来品冷凍冷蔵庫の扉開閉用ハンドル形状を有するキャップ１３の位置が使いやすい高さに配置されていても、新製品の製造の際、冷凍冷蔵庫の高さや扉の高さ変更により扉開閉用ハンドル形状を有するキャップ１３の位置が上下し、使いにくい高さになるという問題があった。
【０００７】
本発明は、以上のような問題を解決するためになされたもので、冷凍冷蔵庫の高さや、扉の高さの変更があった場合でも、使いやすい位置に扉開閉用ハンドルを容易に配置することができ、また、扉組立体１４として部品点数が少なく、軽量化を図った冷凍冷蔵庫の引出扉及びこの引出扉を使用した冷凍冷蔵庫を提供することを目的とするものである。
【０００８】
【課題を解決するための手段】
本発明に係わる冷凍冷蔵庫の引出扉は、アパネルの上縁及び下縁に取り付けられた扉用キャップと、この扉用キャップ内側の後端部に取り付けられた扉内板で形成される空間に断熱材が充填され、ハンドルが取り付けられる冷凍冷蔵庫の引出扉において、前記ドアパネルの端部以外の部分に設けられ、前記ドアパネル面に沿った第１の縁部と、この第１の縁部に対向し前記ドアパネル面から凹ませた凹部の第２の縁部とを有し、前記ハンドルが取り付けられるドアパネル開口部を備え、前記ハンドルは、前部上方に突設されたリブと、このリブとの間に前記ドアパネルの第１の縁部が挿入される溝を形成するように上方に突設された第１の係合部と、後部下方に突設され前記ドアパネルの第２の縁部が押し当てられる後部リブと、この後部リブの根元近傍で後方に突設された第２の係合部とを備え、前記第１の係合部に係合する前部結合部と、前記第２の結合部に係合する後部結合部とを有し、前記ドアパネルの第１の縁部を前記リブに押圧するとともに、前記ドアパネルの第２の縁部を前記ハンドルの後部リブに押圧し、前記ハンドルを前記ドアパネルに固定するハンドル押さえを備えたものである。
【００１０】
また、ハンドルの後部リブに、第２の縁部が挿入される溝を設けたものである。
【００１１】
本発明に係わる冷凍冷蔵庫は、請求項１または請求項２記載の引出扉を有するものである。
【００１２】
【発明の実施の形態】
以下、この発明の実施の形態を図について説明する。
【００１３】
実施の形態１．
図１は本発明の実施の形態１による冷凍冷蔵庫の野菜室の引出扉２の要部を示し、後述の図４のＡ−Ａ断面図及び図５のＢ−Ｂ断面図、図２は図１の分解断面図、図３は同冷凍冷蔵庫の野菜室の引出扉の要部分解状態を示す斜視図、図４は扉開閉用ハンドルの裏面図、図５はハンドル押さえの裏面図、図６は本発明の引出扉を使用した冷凍冷蔵庫を示す正面図である。
図において従来例で示した図１２と同一または相当部分には、同じ符号を付し、説明を省略する。
図において５は扉開閉用ハンドル、６ａはドアパネル６に設けられた手掛け性向上用の絞り部、６ｂは扉開閉用ハンドル取付用の開口部、７はドアパネル６に扉開閉用ハンドル５を固定するハンドル押えである。
【００１４】
６ｃは開口部６ｂのドアパネル６の面に沿った第１の縁部、６ｄは絞り部６ａの第２の縁部である。５ａは扉開閉用ハンドル５の前部上方に突設された突部５ｂ、リブ５ｃによって形成され、ドアパネル６の第１の縁部６ｃが挿入される溝であり、リブ５ｃの後方に設けられた突部５ｂは第１の係合部である。５ｄは扉開閉用ハンドル５の後部後方に突設された第２の係合部であるツメ、図４の５ｆはＬ字状係止部、５ｅは後部リブである。７ａは突部５ｂに係合するハンドル押さえ７の前部係合部、７ｂは扉開閉用ハンドル５のツメ５ｄと係合する後部係合部、７ｄはＬ字状係止部５ｆと係合する切り欠け部である。
【００１５】
野菜室の引出扉２の組立は、まず、扉開閉用ハンドル５をドアパネル６の扉開閉用ハンドル取付用開口部６ｂに入れ、ドアパネル６の第１の縁部６ｃを扉開閉用ハンドル５の溝５ａに挿入し、扉開閉用ハンドル５の後部リブ５ｅをドアパネル絞り部６ａの第２の縁部６ｄに合わせた後、ドアパネル６側より樹脂成形品のハンドル押え７を取付し、扉開閉用ハンドル５の突部５ｂとハンドル押さえ７の前部係合部７ａ、ツメ５ｄと後部係合部７ｂを嵌合させ、ドアパネルの第１の縁部６ｃをリブ５ｃに押圧するとともに、ドアパネルの第２の縁部６ｄを後部リブ５ｅに押圧し、ドアパネル６へ扉開閉用ハンドル５を固定する。
【００１６】
その後ドアパネル６の上縁及び下縁に扉用キャップ８、９を嵌め込み、扉用キャップ装着体を形成し、前記扉用キャップ装着体の内側にドアガスケット挿入用溝部１０ａを形成したサッシレス式扉内板１０を嵌合させることで、扉組立体１４を構成し、扉組立体１４内に発泡断熱材１２を注入して発泡させ、その後ドアガスケット１１をサッシレス式扉内板１０のドアガスケット挿入用溝部１０ａに挿入させ野菜室の引出扉２が完成する。
また、上部冷凍室の引出扉３や下部冷凍室の引出扉４等の引出扉も同様の手順で、扉の上縁または、下縁以外の場所に扉開閉用ハンドル５を配置することが可能である。
【００１７】
ここでは、従来の冷凍冷蔵庫に比べて下部冷凍室４の高さが高くなっため、野菜室１の扉開閉ハンドル５を扉上端部より下げ、人の手がかけやすく力が入りやすく、目で見て場所が分かりやすい、使いやすい位置に配置している。
【００１８】
また、扉開閉用ハンドル５をドアパネル６の扉開閉用ハンドル取付用開口部６ｂへ取付、扉開閉用ハンドル５の後部リブ５ｅをドアパネル絞り部６ａへ合わせた後、ドアパネル６側より樹脂成形品のハンドル押え７を取付し、扉開閉用ハンドル５のツメ５ｄとハンドル押え７の後部係合部７ｂを嵌合させるが、扉開閉用ハンドル５とハンドル押え７の嵌合を確実に行うことで、ハンドル押え７を発泡断熱材もれがないようにドアパネル６へ密着させている。
【００１９】
以上のように、扉開閉用ハンドル５の位置を使いやすい位置へ容易に配置することができる。
また、扉開閉用ハンドル５の構造強度補強部品等の板金部品やネジ等が不要となり、部品点数が少なく、組立が容易であり、軽量化を図ることができる。
また、発泡断熱材１２注入後に、扉開閉用ハンドル部から発泡断熱材が洩れるのを防止することができる。
【００２０】
実施の形態２．
本実施の形態は、実施の形態１における扉開閉用ハンドル５において、扉開閉用ハンドル５の構造強度確保のため、扉開閉用ハンドル前面にドアパネル挿入用溝部５ａを設けたが、扉開閉用ハンドルの後部へもドアパネル挿入用溝部を設けたものである。
【００２１】
図７は本発明の実施の形態２による冷凍冷蔵庫の野菜室の引出扉２の要部を示し、後述の図９のＣ−Ｃ断面図及び図１０のＤ−Ｄ断面図、図８は図７の分解断面図、図９は扉開閉用ハンドルの裏面図、図１０はハンドル押さえの裏面図である。
図において実施の形態１で示した図１〜５と同一または相当部分には、同じ符号を付し、説明を省略する。
図において５ｇは扉開閉用ハンドル５の後部に設けられ、ドアパネル６の第２縁部６ｄが挿入される溝である。
【００２２】
野菜室の引出扉２の組立は、まず、扉開閉用ハンドル５をドアパネル６の扉開閉用ハンドル取付用開口部６ｂに入れ、ドアパネル６の第１の縁部６ｃを扉開閉用ハンドル５の溝５ａに挿入し、ドアパネル絞り部６ａの第２の縁部６ｄを溝５ｇに挿入した後、ドアパネル６側より樹脂成形品のハンドル押え７を取付し、扉開閉用ハンドル５の突部５ｂとハンドル押さえ７の前部係合部７ａ、ツメ５ｄと後部係合部７ｂを嵌合させ、ドアパネル６へ扉開閉用ハンドル５を固定する。
【００２３】
その後ドアパネル６の上縁及び下縁に扉用キャップ８、９を嵌め込み、扉用キャップ装着体を形成し、前記扉用キャップ装着体の内側にドアガスケット挿入用溝部１０ａを形成したサッシレス式扉内板１０を嵌合させることで、扉組立体１４を構成し、扉組立体１４内に発泡断熱材１２を注入して発泡させ、その後ドアガスケット１１をサッシレス式扉内板１０のドアガスケット挿入用溝部１０ａに挿入させ野菜室の引出扉２が完成する。
【００２４】
以上のように、扉開閉時にかかる後方向への荷重にも耐えられる構造とすることができ、板金部品を使用することなく、部品点数減、組立工数減、扉組立体としての軽量化を図ることができる。
【００２５】
【発明の効果】
以上のように、本発明によれば、本発明に係わる冷凍冷蔵庫の引出扉は、ドアパネルの上縁及び下縁に取り付けられた扉用キャップと、この扉用キャップ内側の後端部に取り付けられた扉内板で形成される空間に断熱材が充填され、ハンドルが取り付けられる冷凍冷蔵庫の引出扉において、前記ドアパネルの端部以外の部分に設けられ、前記ドアパネル面に沿った第１の縁部と、この第１の縁部に対向し前記ドアパネル面から凹ませた凹部の第２の縁部とを有し、前記ハンドルが取り付けられるドアパネル開口部を備え、前記ハンドルは、前部上方に突設されたリブと、このリブとの間に前記ドアパネルの第１の縁部が挿入される溝を形成するように上方に突設された第１の係合部と、後部下方に突設され前記ドアパネルの第２の縁部が押し当てられる後部リブと、この後部リブの根元近傍で後方に突設された第２の係合部とを備え、前記第１の係合部に係合する前部結合部と、前記第２の結合部に係合する後部結合部とを有し、前記ドアパネルの第１の縁部を前記リブに押圧するとともに、前記ドアパネルの第２の縁部を前記ハンドルの後部リブに押圧し、前記ハンドルを前記ドアパネルに固定するハンドル押さえを備えたので、冷凍冷蔵庫の高さや、扉の高さの変更があった場合でも、扉開閉用ハンドルを使いやすい位置へ容易に配置することができる。また、部品点数が少なく、組立が容易であり、軽量化を図ることができる。
【００２７】
また、ハンドルの後部リブに、第２の縁部が挿入される溝を設けたので、ハンドルの構造強度補強部品等が不要となり、部品点数が少なく、組立が容易であり、軽量化を図ることができる。
【００２８】
本発明に係わる冷凍冷蔵庫は、請求項１または請求項２記載の引出扉を有するので、扉開閉用ハンドルを冷凍冷蔵庫の使いやすい位置へ容易に配置することができ、部品点数が少なく、組立が容易であり、軽量化を図ることができる。
【図面の簡単な説明】
【図１】  本発明の実施の形態１による冷凍冷蔵庫の引出扉の要部を示す断面図である。
【図２】  同冷凍冷蔵庫の引出扉の要部分解断面図である。
【図３】  同冷凍冷蔵庫の引出扉の要部分解斜視図である。
【図４】  同冷凍冷蔵庫の引出扉のハンドルの裏面図である。
【図５】  同冷凍冷蔵庫の引出扉のハンドル押さえの裏面図である。
【図６】  同冷凍冷蔵庫の正面図である。
【図７】  本発明の実施の形態２による冷凍冷蔵庫の引出扉の要部を示す断面図である。
【図８】  図７の分解断面図である。
【図９】  同冷凍冷蔵庫の引出扉のハンドルの裏面図である。
【図１０】  同冷凍冷蔵庫の引出扉のハンドル押さえの裏面図である。
【図１１】  従来の冷凍冷蔵庫の正面図である。
【図１２】  従来の冷凍冷蔵庫の引出扉の要部断面図である。
【符号の説明】
１  冷蔵室の扉、２  野菜室の引出扉、５  扉開閉用ハンドル、５ａ  溝、５ｇ  溝、５ｃ  リブ、５ｄ  ハンドル押え固定用ツメ、５ｅ  後部リブ、６  ドアパネル、６ａ  ドアパネル絞り部、６ｂ  開口部、７  ハンドル押え、８、９ 扉用キャップ、１０  サッシレス式の扉内板、１２  発泡断熱材。
【図１】
0003665949.tif 000002
【図２】
0003665949.tif 000003
【図３】
0003665949.tif 000004
【図４】
0003665949.tif 000005
【図５】
0003665949.tif 000006
【図６】
0003665949.tif 000007
【図７】
0003665949.tif 000008
【図８】
0003665949.tif 000009
【図９】
0003665949.tif 000010
【図１０】
0003665949.tif 000011
【図１１】
0003665949.tif 000012
【図１２】
0003665949.tif 000013